【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
電気モジュールおよび貯蔵部モジュールを備える、耐食性の電気輸送薬物送達デバイスであって、前記電気モジュールと前記貯蔵部モジュールとが使用前に結合されて一体的に作動する薬物送達デバイスを形成するように構成され、前記薬物送達デバイスが、前記電気モジュール内の回路構成要素を電源から電気的に分離することにより、腐食に耐え、
さらに、前記電気モジュールが、
前記回路構成要素と、
前記電気モジュールが前記貯蔵部モジュールと結合されると前記回路構成要素を前記貯蔵部モジュール上の入力コネクタに接続するように適合された電気出力と、
前記回路構成要素と電池との間の、少なくとも２つの電源投入接点と、
を備え、
前記電気モジュールと前記貯蔵部モジュールとを結合すると、少なくとも１つの前記電源投入接点が開いたままである間、前記電源投入接点によって、前記電池が前記回路構成要素から分離され、かつすべての前記電源投入接点が前記貯蔵部モジュール上の電池接点アクチュエータによって閉じられると、前記電池が前記回路構成要素へと接続され、
前記貯蔵部モジュールが、
前記電気モジュールが前記貯蔵部モジュールと結合されると、前記電気モジュール内の前記回路構成要素を、前記貯蔵部モジュール内の少なくとも１対の活性電極に、電気的に接続するように適合された電気入力と、
少なくとも２つの電池接点アクチュエータであって、前記電池が前記回路構成要素へと接続されかつ前記薬物送達デバイスの電源が投入されるように、前記電気モジュールが貯蔵部モジュールと結合されると、各電池接点アクチュエータは、対応する電源投入接点を閉じるように構成された、少なくとも２つの電池接点アクチュエータと、
を備える電気輸送薬物送達デバイス。
【請求項２】
前記電気モジュールと前記貯蔵部モジュールとを結合するとシールが形成される請求項１に記載の電気輸送薬物送達デバイス。
【請求項３】
モジュールが結合される前に、前記各電源投入接点を密封するシールをさらに備え、前記各シールは、前記電源投入接点が前記電池接点アクチュエータによって閉じられると前記密封を維持するように構成され、前記シールが、水および／または微粒子を通さない請求項１に記載の電気輸送薬物送達デバイス。
【請求項４】
前記各シールが、前記電源投入接点を覆う可撓性ポリマーカバーであり、前記電気モジュールが前記貯蔵部モジュールと結合されると、前記電池接点アクチュエータによって変形されるように構成され、そのことによって前記電池接点アクチュエータが前記電源投入接点を閉じるように前記シールを通して機械的に作用する請求項３に記載の電気輸送薬物送達デバイス。
【請求項５】
前記電気モジュールが前記貯蔵部モジュールと結合される前、前記電気モジュールが前記貯蔵部モジュールと結合されている間、および前記電気モジュールが前記貯蔵部モジュールと結合された後、前記電気出力を密封するシールをさらに備える請求項１に記載の電気輸送薬物送達デバイス。
【請求項６】
前記シールが水および／または微粒子を通さない請求項２に記載の電気輸送薬物送達デバイス。
【請求項７】
前記電気出力と前記電気入力との間の良好な電気接続を確実にするために、前記電気出力が、前記貯蔵部モジュールの前記電気入力に力を連続的に加えながら、屈曲するように構成されている請求項１に記載の電気輸送薬物送達デバイス。
【請求項８】
前記電気入力の少なくとも１つの表面が、実質的に平面である請求項７に記載の電気輸送薬物送達デバイス。
【請求項９】
前記電気モジュールまたは前記貯蔵部モジュール上の対応する連結器受け入れ具とそれぞれ連結して前記一体的に作動する薬物送達デバイスが分離するのを防止する、前記貯蔵部モジュールまたは前記電気モジュール上の連結器をさらに備える請求項１に記載の電気輸送薬物送達デバイス。
【請求項１０】
前記連結器が、対応するスナップ受け入れ具にはめ込まれるように機械的に付勢されるスナップである請求項９に記載の電気輸送薬物送達デバイス。
【請求項１１】
前記スナップが、一方向スナップである請求項１０に記載の電気輸送薬物送達デバイス。
【請求項１２】
２つの連結器と、２つの対応する連結器受け入れ具と、を備える請求項９に記載の電気輸送薬物送達デバイス。
【請求項１３】
前記連結器が異なる大きさであり、そのことによって各連結器はその対応した大きさにされた連結器受け入れ具にのみ挿入可能であり、そのことによって前記電気輸送薬物送達デバイスを１つの構成でのみ組み立てることが確実にできるようにする請求項１２に記載の電気輸送薬物送達デバイス。
【請求項１４】
いったん前記連結器をその対応する受け入れ具と係合すると、前記連結器を破壊することなく前記電気輸送薬物送達デバイスを分解できないように前記連結器が付勢される請求項９に記載の電気輸送薬物送達デバイス。
【請求項１５】
前記連結器と前記連結器受け入れ具とを連結すると、水および／または微粒子を通さないシールが前記連結器と前記連結器受け入れ具との間に形成される請求項９に記載の電気輸送薬物送達デバイス。
【請求項１６】
前記電気モジュールが前記貯蔵部モジュールと結合されると、前記電池接点アクチュエータは前記貯蔵部モジュールから突き出て、かつ前記電池接点アクチュエータはそれぞれ、前記電気モジュール上のソケットを押し下げるように適合され、前記電池接点アクチュエータが前記ソケットを押し下げると、前記電池が回路へと接続されるように、前記ソケットは前記電源投入接点と機械的に連通する請求項１に記載の電気輸送薬物送達デバイス。
【請求項１７】
前記少なくとも１つのソケットが、変形可能な部材である請求項１６に記載の電気輸送薬物送達デバイス。
【請求項１８】
前記変形可能な部材がへこまされる、同一平面上である、またはドーム形である請求項１７に記載の電気輸送薬物送達デバイス。
【請求項１９】
前記電池が前記電気モジュールから突き出す区画内に収容され、前記区画は、前記電気モジュールと前記貯蔵部モジュールとが結合されて前記一体的なデバイスを形成すると、前記電池の区画が前記くぼみ内に１つの構成でのみぴったりと嵌合するように、前記貯蔵部モジュール内の対応するくぼみに合わせて構成された外形を有する請求項１に記載の電気輸送薬物送達デバイス。
【請求項２０】
前記電気モジュールと前記貯蔵部モジュールとが結合されて前記一体的なデバイスを形成すると、前記電気入力および前記電気出力の周囲でシールを提供するように適合されたシーリング部材をさらに備える請求項１に記載の電気輸送薬物送達デバイス。
【請求項２１】
前記電気モジュールがコントローラをさらに備える請求項１に記載の電気輸送薬物送達デバイス。
【請求項２２】
前記電池が前記回路構成要素へと接続されると、前記コントローラが電源投入時チェックを実行するように構成された請求項２１に記載の電気輸送薬物送達デバイス。
【請求項２３】
前記電気モジュールが前記貯蔵部モジュールと結合されると前記電気輸送薬物送達デバイスが論理フラグを増加するように構成され、かつ前記論理フラグが所定の値を満たすかまたは所定の値を超えた場合に、前記電気輸送薬物送達デバイスの電源が投入されないように、または前記電気輸送薬物送達デバイスの電源がすでに投入されている場合は前記電気輸送薬物送達デバイスの電源を遮断するように前記電気輸送薬物送達デバイスが、構成される請求項１に記載の電気輸送薬物送達デバイス。
【請求項２４】
前記論理フラグが所定の値を満たした場合または超えた場合、前記電気輸送薬物送達デバイスがエラーコードを記録するように構成される請求項２３に記載の電気輸送薬物送達デバイス。
【請求項２５】
前記電気モジュールと前記貯蔵部モジュールとを結合させた後で前記電気モジュールと前記貯蔵部モジュールとが分離される場合、前記電源投入接点が、前記回路構成要素から前記電池を取り外すように構成される請求項１に記載の電気輸送薬物送達デバイス。
【請求項２６】
前記電気モジュールが、前記シールを維持しながら屈曲するように構成される請求項２に記載の電気輸送薬物送達デバイス。
【請求項２７】
前記電池接点アクチュエータが互いに、少なくとも０．５ｃｍ間隔で離されている請求項１に記載の電気輸送薬物送達デバイス。
【請求項２８】
電気モジュールおよび貯蔵部モジュールを備える、耐食性の電気輸送薬物送達デバイスであって、前記電気モジュールと前記貯蔵部モジュールとが使用前に結合されて一体的に作動する薬物送達デバイスを形成するように構成され、
前記電気モジュールが、
回路構成要素と、
前記回路構成要素が電源投入されると増加するように構成された論理フラグを備える電源投入接点と、
前記電気モジュールが前記貯蔵部モジュールと結合されると、前記貯蔵部モジュール上の入力コネクタに前記回路構成要素を接続するように構成された電気出力と、
を備え、前記電気モジュールおよび前記貯蔵部モジュールが結合されるまで、前記電池が前記回路構成要素から分離され、
前記貯蔵部モジュールは、
前記電気モジュールが前記貯蔵部モジュールと結合されると、前記貯蔵部モジュール内の少なくとも１対の活性電極に前記貯蔵部モジュール内の前記回路構成要素を電気的に接続するように構成された電気入力を備え、
前記回路構成要素は、電源投入カウンタのカウント数が所定の値を越える場合、前記電気輸送薬物送達デバイスの電源を遮断するか、または前記電気輸送薬物送達デバイスの電源が投入されないようにする電気輸送薬物送達デバイス。
【請求項２９】
電気モジュールおよび貯蔵部モジュールを備える、耐食性の電気輸送薬物送達デバイスであって、前記電気モジュールと前記貯蔵部モジュールとが使用前に結合されて一体的に作動する薬物送達デバイスを形成するように構成され、前記薬物送達デバイスは、前記電気モジュール内の回路構成要素を電源から電気的に分離することにより、腐食に耐え、
前記電気モジュールが、
前記回路構成要素と、
前記電気モジュールが前記貯蔵部モジュールと結合されると、前記貯蔵部モジュール上の入力コネクタに前記回路構成要素を接続するように構成された電気出力と、
前記回路構成要素と電池との間の、１つ又は２つ以上の電源投入接点と、
モジュールが結合される前に、前記１つ又は２つ以上の電源投入接点を密封する第一シールであって、第一シールは前記電源投入接点がアクチュエータによって閉じられると前記密封を維持するように構成され、第一シールが水および／または微粒子を通さない、第一シールと、
前記電気モジュールが前記貯蔵部モジュールと結合される前、前記電気モジュールが前記貯蔵部モジュールと結合されている間、および前記電気モジュールが前記貯蔵部モジュールと結合された後、電気出力部を密封する第二シールと、
をさらに備え、
前記電気モジュールが前記貯蔵部モジュールと結合されると、１つまたは２つ以上の電源投入接点が開いたままである間は前記電池が前記１つまたは２つ以上の電源投入接点により前記回路構成要素から分離され、かつ前記１つまたは２つ以上の電源投入接点が、前記貯蔵部モジュール上の１つまたは２つ以上の電池接点アクチュエータにより、閉じられると、前記電池が、前記回路構成要素へと接続され、
前記貯蔵部モジュールが、
前記電気モジュールが前記貯蔵部モジュールと結合されると、前記貯蔵部モジュール内の少なくとも１対の活性電極に前記電気モジュール内の前記回路構成要素を電気的に接続するように構成された電気入力と、
前記電気モジュールが前記貯蔵部モジュールと結合されると、前記電池が前記回路構成要素へと接続されると共に前記薬物送達デバイスが電源投入されるように、対応する電源投入接点を閉じるように構成された、１つまたは２つ以上の電池接点アクチュエータと、
を備える電気輸送薬物送達デバイス。